(57)【要約】【課題】キャビネットの本体を構成する側板等に加工を施すこと等なく、各区画室内に配設される電子機器類から延設されるコード類等を本体内に配線することが出来るキャビネットの配線構造を提供すること。【解決手段】キャビネット１の側板２ａの内側面所定箇所に、少なくとも上下端が開口する上下方向を向く配線カバー７ａ〜７ｃを、該配線カバー７ａ〜７ｃの下端と棚板５ａ、５ｂの上面または底板４の上面との間に配線可能な間隙が形成されるようにそれぞれ設けるとともに、棚板５ａ、５ｂ及び底板４における配線カバー７ａ〜７ｃの下端開口との対向位置に配線挿通部を設けた。【選択図】    図１
2004159766.tif 000002
【特許請求の範囲】
【請求項１】
キャビネットの本体の内部空間を上下に区画する棚板を有するキャビネットの配線構造であって、
前記キャビネットの本体内における前記棚板により区画された各区画室の内側面所定箇所に、少なくとも上下端が開口する上下方向を向く配線カバーを、該配線カバーの下端と前記棚板の上面またはキャビネットの底板の上面との間に配線可能な間隙が形成されるようにそれぞれ設けるとともに、前記棚板及び前記底板における前記配線カバーの下端開口との対向位置に配線挿通部を設けたことを特徴とするキャビネットの配線構造。
【請求項２】
前記配線カバーの上端と前記棚板の下面またはキャビネットの天板の下面との間を所定幅離間させ、前記棚板を高さ調節自在とした請求項１に記載のキャビネットの配線構造。
【請求項３】
前記配線カバーは、キャビネット本体の後面板と対向する後面側及び上下端部側が開口する横断面略コ字状に形成されている請求項１または２に記載のキャビネットの配線構造。
【請求項４】
各配線カバーは、下方の区画室に配設される配線カバーほど内部空間が大きくなるように構成されている請求項１〜３のいずれかに記載のキャビネットの配線構造。
【発明の詳細な説明】
【０００１】
【発明の属する技術分野】
本発明は、キャビネット本体内を上下に仕切る棚板を有するキャビネットの配線構造に関する。
【０００２】
【従来の技術】
従来、この種のキャビネットにおいては、本体内が棚板により上下に区画されることから、各棚板に載置される電子機器類から延出されるコードやケーブル類を配線することが出来ないため、例えば側板等に縦方向の配線溝を形成するとともに、棚板により区画される各区画室に配線溝と連通する開口を設けることで、各区画室から延設されるコードやケーブル類を配線出来るようにしたものがある（例えば、特許文献１参照）。
【０００３】
【特許文献１】
特開平２００２−２１９０２７号公報（第２−３頁、第１−４図）
【０００４】
【発明が解決しようとする課題】
しかしながら、上記特許文献１に記載のキャビネットにあっては、キャビネット本体を構成する側板等に配線溝を形成する必要があったため、側板の構造が複雑になり加工工程が増えるといった問題を有していた。また、このような問題は特に木製のキャビネットにおいて配線溝を側板等に形成する場合においても問題となるばかりか、木製のキャビネットにおいては側板の強度が低下する恐れがあった。
【０００５】
本発明は、このような問題点に着目してなされたもので、キャビネットの本体を構成する側板等に加工を施すこと等なく、各区画室内に配設される電子機器類から延設されるコード類等を本体内に配線することが出来るキャビネットの配線構造を提供することを目的とする。
【０００６】
【課題を解決するための手段】
上記課題を解決するために、本発明のキャビネットの配線構造は、キャビネットの本体の内部空間を上下に区画する棚板を有するキャビネットの配線構造であって、
前記キャビネットの本体内における前記棚板により区画された各区画室の内側面所定箇所に、少なくとも上下端が開口する上下方向を向く配線カバーを、該配線カバーの下端と前記棚板の上面またはキャビネットの底板の上面との間に配線可能な間隙が形成されるようにそれぞれ設けるとともに、前記棚板及び前記底板における前記配線カバーの下端開口との対向位置に配線挿通部を設けたことを特徴としている。
この特徴によれば、キャビネットの本体を構成する側板等に加工を施したりすることなく、配線カバーにより配線空間を形成することが出来るとともに、配線カバーの下端と前記棚板の上面またはキャビネットの底板の上面との間に形成された間隙を介して、各区画室に配設される電子機器類等から延設されるコード類を各区画室間にわたって上下方向に配線することが出来るため、配線カバー自体に加工を施したりする必要がない。
【０００７】
本発明のキャビネットの配線構造は、前記配線カバーの上端と前記棚板の下面またはキャビネットの天板の下面との間を所定幅離間させ、前記棚板を高さ調節自在としたことが好ましい。
このようにすれば、上下の配線カバー同士の間が大きく離間することになるため、棚板の高さを調節することが出来るようになる。
【０００８】
本発明のキャビネットの配線カバーは、キャビネット本体の後面板と対向する後面側及び上下端部側が開口する横断面略コ字状に形成されていることが好ましい。
このようにすれば、配線をキャビネットの前方から見えないように収容することが出来るため、外観体裁が向上するばかりか、後方の開口を利用して配線カバーの内部に形成される配線空間に容易に配線することが出来る。
【０００９】
本発明のキャビネットの配線カバーは、下方の区画室に配設される配線カバーほど内部空間が大きくなるように構成されていることが好ましい。
このようにすれば、配線量が下方に行くに従い増加しても確実に収容出来るとともに、不要な配線空間を形成して区画室内の収容スペースが小さくなるのを効果的に防止出来る。
【００１０】
【発明の実施の形態】
以下、本発明の実施例を図面に基づいて説明すると、まず図１には本発明の実施例としての木製のキャビネット１が示されている。キャビネット１は、左右の側板２ａ、２ｂと、左右の側板２、２間における上部に水平方向に配置される天板３と、左右の側板２ａ、２ｂ間における下部に水平方向に配置される底板４と、天板３と底板４との間に設けられる棚板５ａ、５ｂと、後面を閉塞するように設けられる後面板６と、から構成されている。天板３及び棚板５ａにて区画された区画室８ａ、棚板５ａ及び５ｂにて区画された区画室８ｂ、側板５ｂ及び底板４にて区画された区画室８ｃ、及び天板３の上面には、テレビやオーディオ等の電子機器類が載置されている。
【００１１】
棚板５ａ、５ｂは、側板２ａ、２ｂの内面前後端部それぞれに、上下方向にわたって複数形成された高さ調節孔１７内に嵌合される４個のダボピン１９（図４参照）上に載置されており、このダボピン１９を嵌合する高さ調節孔１７の高さ位置を変えることで高さを調節することが出来るようになっている。
【００１２】
図中向かって左側の側板２ａの内面後部における各区画室８ａ〜８ｃに対応する箇所には、上記電子機器類から延設される電源コード類の配線空間を形成するための上下方向を向く配線カバー７ａ、７ｂ、７ｃがそれぞれ別々に設けられている。
【００１３】
各配線カバー７ａ、７ｂ、７ｃは、図１〜図３に示されるように、合成樹脂により後面側及び上下端側が開口する横断面略コ字状に形成された所定長さの部材にて構成されており、上下方向に延びる開口がキャビネット１の後方、すなわち、後面板６に対向するように側板２ａの内面後部に取り付けられており、上記電子機器類から延設される電源コード類を、キャビネット１の前方から見えないように体裁良く収容出来るようになっている。
【００１４】
詳しくは、配線カバー７ａ、７ｂ、７ｃにおける側板２ａへの取付片９ａには、配線カバー７ａ、７ｂ、７ｃを取り付けるためのネジ１０が取り付けられる取付穴１１が上下に形成されているとともに（図１参照）、取付片９ａに対向する側片９ｂにおける前記取付片９ａに形成される上下の取付穴１１に対応する箇所には、取付穴１１に取り付けるネジ１０を挿通可能な挿通穴１２がそれぞれ形成されている。なお、図３には配線カバー７ａのみが示されているが、他の配線カバー７ｂ、７ｃも７ａと同様に構成されているため、ここでの詳細な図示及び説明は省略する。
【００１５】
上記のように構成される配線カバー７ａ、７ｂ、７ｃは、図３に示されるように、側片９ｂの挿通穴１２内にネジ１０を挿通して取付穴１１に止着することで側板２ａの内面に取り付けることが出来る。このように配線カバー７ａ、７ｂ、７ｃは、側板２ａに取り付けるためのネジ１０を側片９ｂの挿通穴１２に挿通して取付穴１１に止着することが出来るようになっているため、ドライバー等を用いれば、側板２ａの取り付けを配線カバー７ａ、７ｂ、７ｃの外部から容易に行うことが出来るとともに、取り付けたネジ１０の頭部等が配線カバー７ａ、７ｂ、７ｃの外部に露呈することがないので、外観体裁良く取り付けることが出来る。
【００１６】
また、配線カバー７ａ、７ｂ、７ｃは、図２に示されるように、それぞれ前片９ｃの左右幅寸法Ｐ１〜Ｐ３は、配線カバー７ａよりも配線カバー７ｂ、配線カバー７ｂよりも配線カバー７ｃの内部に形成される配線空間が大きくなるように構成されており（Ｐ１＜Ｐ２＜Ｐ３）、上方の区画室から下方に向けて挿通されるコード類の本数の増加に対応出来るようになっている。
【００１７】
棚板５ａ、５ｂ及び底板４における各配線カバー７ａ、７ｂ、７ｃの上端または下端の開口と対向する箇所には、側板２ａの内面側に向けて開口する凹状の切欠部１３がそれぞれ形成されているとともに、各切欠部１３の内周面には、前記切欠部１３よりも小さな切欠部１４ａが形成された配線キャップ１４を載置するための載置片１５が形成されており、切欠部１３を配線キャップ１４にて閉塞することが出来るようになっているため、この配線キャップ１４により必要最低限の配線を挿通させる切欠部を確保し、不要な開口が形成されないようにしている。また、これら切欠部１３及び切欠部１４ａにより配線挿通部が構成されている。
【００１８】
なお、特に図２に示されるように、配線キャップ１４の切欠部１４ａは、キャビネット１における下方の棚板５ｂまたは底板４に配置される配線キャップ１４の切欠部１４ａの方が上方の配線キャップ１４の切欠部よりも大きくなるように形成されており、より多くのコード類を挿通出来るようになっている。
【００１９】
また、天板３における配線カバー７ａの上端の開口と対向する箇所には、区画室８ａに連通する挿通穴１６が形成されており、天板３の上面に載置される電子機器類から延設されるコード類を区画室８ａ内の配線カバー７ａ内に挿通させることが出来るようになっている。
【００２０】
このように構成されたキャビネット１において、図１に示されるように、天板３の上面及び各区画室８ａ〜８ｃ内に配設された各電子機器類から延設されたコードやケーブル類は、例えば図２に示されるように、天板３の上面に載置された電子機器類のコード類は挿通穴１６、各切欠部１４ａ、各配線カバー７ａ〜７ｃ内を挿通して底板４の下方に配線され、また、棚板５ａ、５ｂの上面に載置された電子機器類のコード類はそれぞれの切欠部１４ａを挿通して下方の配線カバー７ｂ、７ｃ内を挿通して底板４の下方に配線されるようになっている。
【００２１】
ここで、各区画室８ａ〜８ｃに載置される電子機器類から延設されるコード類は、キャビネット１の本体の内部に区画室８ａ〜８ｃが形成されるように区画する棚板５ａ、５ｂに形成された切欠部１４ａを介して下方の区画室に挿通出来るようになっているとともに、これら各区画室８ａ〜８ｃ内に配線されるコード類を配線カバー７ａ、７ｂ、７ｃにより体裁良く収容することが出来る。
【００２２】
また、配線カバー７ａ、７ｂ、７ｃはそれぞれの区画室８ａ〜８ｃ内に配設するためにそれぞれ個別に構成されているとともに、各配線カバー７ａ、７ｂ、７ｃの下端と棚板５ａ、５ｂや底板４の上面との間に配線可能な間隙が形成されるように所定距離離間するように設けられるため、各配線カバー７ａ、７ｂ、７ｃにおける例えば前片９ｃや側片９ｂに配線挿通用の穴等を形成することなく切欠部１４ａに挿通させることが出来る。
【００２３】
さらに、各配線カバー７ａ、７ｂ、７ｃの上端と棚板５ａ、５ｂや天板３の下面との間が所定距離離間するように配線カバー７ａ、７ｂ、７ｃが設けられているため、例えば図４に示されるように、各棚板５ａ、５ｂの高さ位置を、上下の配線カバー７ａ、７ｂ、７ｃ間において若干調節することが出来る。
【００２４】
また、各配線カバー７ａ、７ｂ、７ｃは、ネジ１０を取り付けたり取り外すことで着脱することが出来るため、例えば上述したように棚板５ａ、５ｂの高さ位置を変更した場合において、長さの異なる配線カバー７ａ、７ｂ、７ｃに容易に交換することが出来る。
【００２５】
また、配線カバー７ａ、７ｂ、７ｃにおける前片９ｃの左右方向の幅寸法が、各コード類を外部に排出する下方向に向かって幅広となるように形成されているため、上方から延設されるコードの本数が下方に行くに従い増加しても確実に収容出来るとともに、不要な配線空間を形成することを防止出来る。
【００２６】
さらに、各棚板５ａ、５ｂ及び底板４における配線挿通部を、切欠部１４ａを有する配線キャップ１４を切欠部１３に着脱自在に配置することにより構成することで、例えば配線量に応じた大きさを有する切欠部１４ａが形成された配線キャップに交換することが出来るので、配線に必要な最小限の配線挿通部を構成することが出来る。
【００２７】
また、配線カバー７ａ、７ｂ、７ｃは後面及び上下端が開口する横断面略コ字状に形成されているため、コード類を体裁良く収容することが出来るとともに、図３（ｂ）に示されるように、側片９ｂの後端と後面板６の前面との間にコード類を挿通可能な隙間が形成されるように設けられているため、配線カバー７ａ、７ｂ、７ｃを取り外したりすることなく容易に配線することが出来る。
【００２８】
以上、本発明の実施例を図面により説明してきたが、具体的な構成はこれら実施例に限られるものではなく、本発明の要旨を逸脱しない範囲における変更や追加があっても本発明に含まれる。
【００２９】
例えば、本実施例における配線カバー７ａ、７ｂ、７ｃは、キャビネット１の側面を構成する側板の内面に設けられていたが、例えば上記キャビネット１において、区画室８ａ〜８ｃをさらに縦方向に区画する縦方向を向く仕切板等が設けられた場合においては、このような仕切板に設けてもよい。
【００３０】
【発明の効果】
本発明は以下の効果を奏する。
【００３１】
（ａ）請求項１項の発明によれば、キャビネットの本体を構成する側板等に加工を施したりすることなく、配線カバーにより配線空間を形成することが出来るとともに、配線カバーの下端と前記棚板の上面またはキャビネットの底板の上面との間に形成された間隙を介して、各区画室に配設される電子機器類等から延設されるコード類を各区画室間にわたって上下方向に配線することが出来るため、配線カバー自体に加工を施したりする必要がない。
【００３２】
（ｂ）請求項２項の発明によれば、上下の配線カバー同士の間が大きく離間することになるため、棚板の高さを調節することが出来るようになる。
【００３３】
（ｃ）請求項３項の発明によれば、配線をキャビネットの前方から見えないように収容することが出来るため、外観体裁が向上するばかりか、後方の開口を利用して配線カバーの内部に形成される配線空間に容易に配線することが出来る。
【００３４】
（ｄ）請求項４項の発明によれば、配線量が下方に行くに従い増加しても確実に収容出来るとともに、不要な配線空間を形成して区画室内の収容スペースが小さくなるのを効果的に防止出来る。
【図面の簡単な説明】
【図１】本発明の適用されたキャビネットの使用状態を示す斜視図である。
【図２】図１のＡ−Ａ断面図である。
【図３】（ａ）は配線カバー及び棚板の構造を示す要部拡大斜視図であり、（ｂ）は（ａ）のＢ−Ｂ断面図である。
【図４】キャビネットにおける各棚板の高さ位置を調節する状態を示す断面図である。
【符号の説明】
１          キャビネット
２ａ、２ｂ  側板
３          天板
４          底板
５ａ、５ｂ  棚板
６          後面板
７ａ〜７ｃ  配線カバー
８ａ〜８ｃ  区画室
９ａ        取付片
９ｂ        側片
９ｃ        前片
１０          ネジ
１１          取付穴
１２          挿通穴
１３          切欠部
１４          配線キャップ
１４ａ        切欠部
１５          載置片
１６          挿通穴
１７          調節孔
１９          ダボピン
【図１】
2004159766.tif 000003
【図２】
2004159766.tif 000004
【図３】
2004159766.tif 000005
【図４】
2004159766.tif 000006